(57)【要約】【課題】道路の路面をその路面の側方から照明する道路照明器具において、器具の小型化を図りつつ上方配光を抑制する。【解決手段】道路照明器具１は、道路ＲＤの路面ＲＳの側方から、路面ＲＳを構成している近領域ＮＲ及び遠領域ＦＲを照明する。道路照明器具１は、開口Ｏ１，Ｏ２を有する筐体２と、開口Ｏ１，Ｏ２を塞ぐように配置された透光性のパネル９と、筐体２内に配置された、光源３、光源４、反射鏡５及び反射鏡６とを含む。光源３，４は、複数のＬＥＤ１１からなり、光源４は光源３より下方に配置されている。反射鏡５は、光源３から出射された光を、近領域ＮＲに向けて反射して、パネル９を通して近領域ＮＲに照射する。反射鏡６は、反射鏡５より下方に配置され、光源４から出射された光を、遠領域ＦＲに向けて反射して、パネル９を通して遠領域ＦＲに照射する。【選択図】図３
2018206704.tif 000002
【特許請求の範囲】
【請求項１】
道路の路面の側方から、前記路面を構成している第１領域及び該第１領域よりも遠くに位置する第２領域を照明する道路照明器具であって、
投光開口を有する筐体と、
前記投光開口を塞ぐように配置された透光性のパネルと、
前記筐体内に配置された、複数の発光素子からなる第１線状光源と、
前記筐体内の前記第１線状光源より下方に配置された、複数の発光素子からなる第２線状光源と、
前記筐体内に配置され、前記第１線状光源から出射された光を、前記第１領域及び第２領域のうちの一方の領域に向けて反射して、前記パネルを通して前記一方の領域に照射する第１反射鏡と、
前記筐体内の前記第１反射鏡より下方に配置され、前記第２線状光源から出射された光を、前記第１領域及び第２領域のうちの他方の領域に向けて反射して、前記パネルを通して前記他方の領域に照射する第２反射鏡と、
を含む道路照明器具。
【請求項２】
前記一方の領域が前記第１領域であり、前記他方の領域が前記第２領域である、請求項１に記載の道路照明器具。
【発明の詳細な説明】
【技術分野】
【０００１】
本開示は、道路の路面をその路面の側方から照明する低位置照明方式の道路照明器具に関する。
【背景技術】
【０００２】
従来の低位置照明方式の道路照明器具としては、特許文献１に開示されたものがある。この道路照明器具は、筐体と、線状光源と、反射鏡と、透光性のアクリル樹脂からなる前面パネルと、減衰部としての複数のルーバーとを備えている。前面パネルは、筐体の前面を塞ぐように、線状光源の前面側に配置され、反射鏡からの反射光の一部を透過するとともに、一部を反射する。複数のルーバーは、前面パネルからの反射光等の筐体内で複数回反射した光を遮光し、水平より上方に漏れる光（以下、「上方配光」ともいう）を抑制する。従って、この道路照明器具によれば、複数のルーバーによって、前面パネルからの二次反射光が水平より上方に漏れるのを抑制し、減衰させることができる。
【先行技術文献】
【特許文献】
【０００３】
【特許文献１】特開２０１１−１４６３７４号公報
【発明の概要】
【発明が解決しようとする課題】
【０００４】
ところで、低位置照明方式の道路照明器具において、上方配光への制限は近年ますます厳格化の傾向にある。また、道路照明器具の小型化が進む中で、器具の内部にルーバーの設置スペースを確保することも難しくなってきている。
【０００５】
本開示は、このような従来技術の有する課題に鑑みてなされたものである。本開示の目的は、道路の路面をその路面の側方から照明する道路照明器具において、器具の小型化を図りつつ上方配光を抑制することにある。
【課題を解決するための手段】
【０００６】
本開示の一態様は、道路の路面の側方から、路面を構成している第１領域及び該第１領域よりも遠くに位置する第２領域を照明する道路照明器具である。道路照明器具は、投光開口を有する筐体と、投光開口を塞ぐように配置された透光性のパネルと、筐体内に配置された、第１線状光源、第２線状光源、第１反射鏡、及び第２反射鏡とを含む。第１及び第２線状光源は、複数の発光素子からなり、第２線状光源は、第１線状光源より下方に配置される。第１反射鏡は、第１線状光源から出射された光を、第１領域及び第２領域のうちの一方の領域に向けて反射して、パネルを通して一方の領域に照射する。第２反射鏡は、第１反射鏡より下方に配置され、第２線状光源から出射された光を、第１領域及び第２領域のうちの他方の領域に向けて反射して、パネルを通して他方の領域に照射する。
【発明の効果】
【０００７】
本開示によれば、道路の路面をその路面の側方から照明する道路照明器具において、器具の小型化を図りつつ上方配光を抑制することが可能となる。
【図面の簡単な説明】
【０００８】
【図１】本開示の実施形態にかかる道路照明器具の配置図である。
【図２】本開示の実施形態にかかる道路照明器具の外形図であり、（ａ）は正面図、（ｂ）は側面図である。
【図３】図２（ａ）のＡ−Ａ線に沿った横断面図である。
【図４】比較例にかかる道路照明器具の要部横断面図である。
【発明を実施するための形態】
【０００９】
以下、図面を参照しながら、本開示の実施形態にかかる道路照明器具１について説明する。なお、「上」「下」「前」「後」など方向を表す用語は、各部の位置関係を説明するために便宜上定めたものであり、実際の器具の取り付け姿勢等を限定するものではない。
【００１０】
道路照明器具１は、図１に示すように、例えば４車線の道路ＲＤの路面ＲＳをその側方から照明する低位置照明方式の道路照明器具であり、例えば、路面ＲＳの側方に設けられた高欄や側壁などに設置される。
【００１１】
道路照明器具１は、図２（ａ）に示すように、長尺形状を有しており、典型的には路面ＲＳからの高さが１．０〜１．２ｍ程度の比較的低位置に、その長手方向が路面ＲＳと略平行になるような姿勢で固定される。そのため、道路照明器具１を道路ＲＤの延在方向に沿って複数連続的に配置することで、優れた誘導効果を発揮することができる。
【００１２】
道路照明器具１の照明光ＩＬは、図１に示すように、路面ＲＳの片側（左側）から反対側（右方）かつ下方に向けて照射され、路面ＲＳに対して斜めに入射する。照明光ＩＬは、被照明面である路面ＲＳにおいて、所望の平均路面輝度、総合均斉度、及び車線軸均斉度を得るように配光される。
【００１３】
被照明面である路面ＲＳには、図１に示すように、照明光ＩＬの照射方向において道路照明器具１の近くに位置する近領域ＮＲ（第１領域）と、近領域ＮＲより道路照明器具１から離れた位置にある遠領域ＦＲ（第２領域）とが含まれている。近領域ＮＲと遠領域ＦＲとは、道路幅方向に並んでおり、近領域ＮＲのうち照射方向遠方側の一部が、遠領域ＦＲの照射方向近方側の一部と重複している。
【００１４】
なお、図１の例では、左側路側帯ＬＭ、第１車線Ｌ１、第２車線Ｌ２、第３車線Ｌ３、第４車線Ｌ４及び右側路側帯ＲＭが、路面ＲＳの全体を構成している。このうち、左側路側帯ＬＭの左端付近から第３車線Ｌ３の中心線付近までが近領域ＮＲに、第１車線Ｌ１の中心線付近から右側路側帯ＲＭの右端付近までが遠領域ＦＲに、それぞれ設定されている。なお、各領域ＮＲ，ＦＲの範囲及び位置関係は上記に限らない。例えば、近領域ＮＲと遠領域ＦＲとは、互いに重複していなくてもよい。
【００１５】
道路照明器具１は、図２及び図３に示すように、筐体２と、筐体２内に配置された、上側線状光源３（第１線状光源）、下側線状光源４（第２線状光源）、上側反射鏡５（第１反射鏡）、及び下側反射鏡６（第２反射鏡）を備えている。（以下、上側線状光源３、下側線状光源４、上側反射鏡５及び下側反射鏡６を、それぞれ光源３、光源４、反射鏡５及び反射鏡６と略して称することもある。）
【００１６】
筐体２は、道路ＲＤ側（以下、前方）に向けて開放された開口２１ａを有する本体２１と、開口２１ａを塞ぐように配置された前面パネル２２とを備えている。本体２１及び前面パネル２２は、例えばアルミ押出材やステンレス鋼など金属製の薄板から形成されている。本体２１は、図３に示すように、道路照明器具１の長手方向に垂直な断面において、前方に開いた略コ字状の断面を有している。前面パネル２２は、不図示のねじ等により、本体２１の開口２１ａの周縁部に取り付けられている。
【００１７】
筐体２の内部には、本体２１と前面パネル２２とに囲まれた収容空間Ｓが設けられている。収容空間Ｓ内には、光源３と、光源４と、反射鏡５と、反射鏡６とが収容されている。光源３及び反射鏡５は、それぞれ光源４及び反射鏡６の上方に配置されている。また、収容空間Ｓ内には、後述するＬＥＤ１１に電力を供給するための電子部品等からなる電源部７（図２（ａ）参照）が収容されている。道路照明器具１の長手方向に垂直な断面における筐体２の断面寸法は、特に限定されないが、設置スペースの制約などの理由により、例えば高さ２５０ｍｍ以下、幅６０ｍｍ以下である。
【００１８】
図２（ａ）に示すように、本体２１の下側壁には、道路照明器具１を道路ＲＤの側壁に固定するための取付金具８Ａが固定されている。取付金具８Ａは、道路ＲＤ側の取付金具８Ｂに、ボルト・ナット等の締結具により固定されている。図２（ｂ）に示すように、筐体２は、取付金具８Ａ，８Ｂの取付点Ｃを中心に前後に傾斜した状態で固定することが可能になっている。
【００１９】
前面パネル２２には、上側投光開口Ｏ１及び下側投光開口Ｏ２が上下方向に並んで設けられている。上側投光開口Ｏ１及び下側投光開口Ｏ２は、各々、道路照明器具１の長手方向に沿って長い矩形形状を有している。（以下、上側投光開口Ｏ１及び下側投光開口Ｏ２を、それぞれ開口Ｏ１及び開口Ｏ２と略して称することもある。）
【００２０】
前面パネル２２の裏面には、例えば強化ガラス製の透光性のパネル９が取り付けられている。パネル９は、開口Ｏ１，Ｏ２の両方を塞ぐように配置されている。パネル９の外周部は、固定金具２３、ナット２４等により前面パネル２２に固定されている。パネル９の材料は特に限定されず、強化ガラスの他、アクリル樹脂、ポリカーボネート樹脂、シリコン樹脂、ポリオレフィン樹脂などからなる、光源光の放射スペクトルに対して屈折率がほぼ１．３〜１．８の透明な材料を使用できる。  
【００２１】
光源３，４は、各々、基板１０の上に実装された複数の発光ダイオード１１（以下、ＬＥＤ：Light Emitting Diode）から構成されている。複数のＬＥＤ１１は、道路照明器具１の長手方向に沿って並べられている。基板１０は、複数のＬＥＤ１１が実装された面を後方（道路ＲＤ側の反対側）かつ下方に向けた姿勢で、筐体２の後側壁に固定されたブラケット１２に支持されている。そのためＬＥＤ１１の光軸は、後方かつ下方に向けて斜めに延びている。本実施形態の基板１０、ＬＥＤ１１及びブラケット１２は、光源３，４間で共通であり、部品の共通化が図られている。
【００２２】
反射鏡５は、道路照明器具１の長手方向（光源３の延在方向）に沿って延在しており、筐体２の後側壁に固定されたブラケット１３に支持されている。反射鏡５の光源３側の面には、鏡面反射面５ａが設けられており、その上端５ｂは、開口Ｏ１の上側周縁部Ｏ１ａより上方の、光源３のＬＥＤ１１と略同じ高さに位置している。また、鏡面反射面５ａの下部は、パネル９の裏面近傍にまで延びており、その下端５ｃは、光源３のＬＥＤ１１よりも前方、かつ、開口Ｏ１の下側周縁部Ｏ１ｂより上方に位置している。鏡面反射面５ａは、道路照明器具１の長手方向に垂直な断面において、上端５ｂから下端５ｃまで滑らかに湾曲した略放物線状の形状を有している。
【００２３】
反射鏡５は、光源３から出射された光を近領域ＮＲに向けて一次反射し、その一次反射光をパネル９を通して近領域ＮＲに照射する。一次反射光の出射方向は、鏡面反射面５ａの形状により制御されている。光源３のＬＥＤ１１から出射された光のうち光軸方向に出射された光Ｒ１は、鏡面反射面５ａで一次反射されたあと、開口Ｏ１の上部、すなわち開口Ｏ１の上側周縁部Ｏ１ａ近傍を通過し、近領域ＮＲの遠方部に照射される。また、光源３のＬＥＤ１１から光軸よりも上方または下方に向けて出射され、鏡面反射面５ａの上端５ｂ近傍または下端５ｃ近傍で一次反射された光Ｒ２，Ｒ３は、開口Ｏ１の下部、すなわち開口Ｏ１の下側周縁部Ｏ１ｂ近傍を通過する。開口Ｏ１の下部を通過した光Ｒ２，Ｒ３は、近領域ＮＲの近方部に照射される。
【００２４】
反射鏡６は、道路照明器具１の長手方向（光源４の延在方向）に沿って延在しており、筐体２の後側壁に固定されたブラケット１４に支持されている。反射鏡６の光源４側の面には、鏡面反射面６ａが設けられており、その上端６ｂは、開口Ｏ２の上側周縁部Ｏ２ａより上方の、光源４のＬＥＤ１１と略同じ高さに位置している。また、鏡面反射面６ａの下部は、パネル９の裏面近傍にまで延びており、その下端６ｃは、光源４のＬＥＤ１１よりも前方、かつ、開口Ｏ２の下側周縁部Ｏ２ｂより上方に位置している。鏡面反射面６ａは、道路照明器具１の長手方向に垂直な断面において、上端６ｂから下端６ｃまで滑らかに湾曲した略放物線状の形状を有している。
【００２５】
反射鏡６は、光源４から出射された光を遠領域ＦＲに向けて一次反射し、その一次反射光をパネル９を通して遠領域ＦＲに照射する。一次反射光の出射方向は、鏡面反射面６ａの形状により制御されている。光源４のＬＥＤ１１から出射された光のうち光軸方向に出射された光Ｒ４は、鏡面反射面６ａで一次反射されたあと、開口Ｏ２の上部、すなわち開口Ｏ２の上側周縁部Ｏ２ａ近傍を通過し、遠領域ＦＲの遠方部に照射される。光源４のＬＥＤ１１から光軸よりも上方に向けて出射され、鏡面反射面６ａの上端６ｂ近傍で一次反射された光Ｒ５は、開口Ｏ２の上部を通過し、遠領域ＦＲの遠方部に照射される。光源４のＬＥＤ１１から光軸よりも下方に向けて出射され、鏡面反射面６ａの下端６ｃ近傍で一次反射された光Ｒ６は、開口Ｏ２の下部、すなわち開口Ｏ２の下側周縁部Ｏ２ｂ近傍を通過し、遠領域ＦＲの近方部に照射される。
【００２６】
図３に示した道路照明器具においては、反射鏡５からの一次反射光の照射角度範囲θ１は、反射鏡６からの一次反射光の照射角度範囲θ２より大きい。また、鏡面反射面５ａの下端５ｃと開口Ｏ１の上側周縁部Ｏ１ａとの上下方向距離Ｄ１は、鏡面反射面６ａの下端６ｃと開口Ｏ２の上側周縁部Ｏ２ａとの上下方向距離Ｄ２より小さい。なお、照射角度範囲θ１よりも照射角度範囲θ２の方が大きくなるように構成してもかまわない。
【００２７】
反射鏡５，６は、例えばアルミニウムやステンレス等の金属から形成することができる。鏡面反射面５ａ，６ａは、反射鏡５，６の光源３，４側の面に鏡面加工を施したり、反射材を塗布または蒸着したりすることによって形成することができる。
【００２８】
パネル９の内側には、拡散パネル１５が設けられている。拡散パネル１５は、固定金具２３等により、パネル９とともに前面パネル２２の裏面に固定されている。拡散パネル１５は、反射鏡５，６からパネル９に入射した光を拡散して、路面ＲＳにおける均斉度を向上させるためのものである。拡散パネル１５としては、例えば、表面に凹凸形状が設けられたアクリル樹脂製の透明パネルを採用できる。なお、反射鏡５，６やパネル９の表面性状等によって十分な均斉度が得られる場合は、拡散パネル１５を省略してもよい。
【００２９】
以下、本実施形態の作用効果について、図４の比較例を参照しつつ説明する。
【００３０】
上方配光は、筐体内で複数回反射したのち投光開口Ｏｘから漏れる光であって、投光開口Ｏｘから斜め上方に向けて出射される光である。主な成分に、反射面Ｍａの下端Ｍｃ近傍からの三次反射光Ｒｘ（図４参照）が含まれる。この光は、反射面Ｍａの上端Ｍｂ近傍からの一次反射光の一部が、パネルＰの裏面で二次反射したあと、反射面Ｍａの下端Ｍｃ近傍に入射し、そこから斜め上方に三次反射した光が、パネルＰを通過して投光開口Ｏｘから外部に漏れたものである。
【００３１】
上方配光は、路面輝度の向上に寄与せず、道路を走行する車両のドライバーにとってグレアの要因にもなり得るため、低減することが望ましい。低位置照明方式の道路照明器具では、例えば、路面上高さ１．２ｍの位置における鉛直面照度に制限（例えば１５０ｌｘ以下）が設けられることもある。
【００３２】
一方、例えば３車線以上の比較的車線数の多い道路を照明する場合は、道路幅方向の広範囲に照明光ＩＬを配光するために、線状光源ＬＳの長手方向と直交する断面における反射面Ｍａの一次反射光の照射角度範囲θｘを比較的大きくする必要がある。しかしながら、照射角度範囲θｘを拡げれば、反射面Ｍａの上端Ｍｂ近傍における傾斜角度と下端Ｍｃ近傍における傾斜角度の差が大きくなり、上端Ｍｂ近傍からの一次反射光が、パネルＰの裏面での二次反射後、下端Ｍｃ近傍に入射しやすくなる。これにより、上述の三次反射光Ｒｘの光量が増えて、上方配光が強まるおそれがある。
【００３３】
これに対し、道路照明器具１では、反射鏡５が一次反射光を近領域ＮＲに向けて照射し、反射鏡６が一次反射光を遠領域ＦＲに向けて照射しており、各反射鏡５，６が一次反射光の照射範囲を分担している。このため、各反射鏡５，６における一次反射光の照射角度範囲θ１，θ２は、それぞれ図４の比較例の照射角度範囲θｘより小さくなり、鏡面反射面５ａ，６ａの上端５ｂ，６ｂ近傍と下端５ｃ，６ｃ近傍の傾斜角度の差も、比較例のそれより小さくなる。これにより、鏡面反射面５ａ，６ａの上端５ｂ，６ｂ近傍からの一次反射光が、パネル９の裏面での二次反射後、下端５ｃ，６ｃ近傍に入射しにくくなるため、下端５ｃ，６ｃ近傍からの三次反射光の光量の増大が抑制される。
【００３４】
従って、道路照明器具１によれば、比較的車線数の多い道路ＲＤの路面ＲＳをその側方から照明する場合でも、不要な上方配光を抑制して、ドライバーへのグレアを低減することが可能となる。また、上方配光を遮光するためのルーバー等の設置を省略することができるので、光源３，４からの光源光を有効に利用しつつ器具の小型化を図ることができる。
【００３５】
さらに、道路照明器具１では、反射鏡５からの一次反射光を近領域ＮＲに照射している。このため、同反射光を遠領域ＦＲに照射した場合よりも、鏡面反射面５ａの下端５ｃと開口Ｏ１の上側周縁部Ｏ１ａとの上下方向距離Ｄ１を小さくして、近領域ＮＲ上の空間の上方領域Ｕ（図１参照）を通過する光を低減することができる。従って、近領域ＮＲ上の所定高さにおける鉛直面照度を低減して、ドライバーへのグレアをより確実に防止することができる。
【００３６】
また、道路照明器具１では、光源３と光源４とが、同一の構成を有している。従って、ブラケット１３，１４を適宜入れ替えることで、反射鏡５の位置に反射鏡６と同じ遠領域ＦＲ用の反射鏡を取り付けたり、反射鏡６の位置に反射鏡５と同じ近領域ＮＲ用の反射鏡を取り付けたりすることが可能である。上下に同じ反射鏡（近領域ＮＲ用または遠領域ＦＲ用のいずれか）を取り付けることで、部品点数を増やすことなく幅の狭い道路を照明することが可能になる。
【００３７】
本開示の技術的範囲は、上記実施形態で開示した具体的な技術事項に限らず、そこから容易に導きうる様々な変形、変更、代替技術なども含むものである。
【００３８】
例えば、上記実施形態では、反射鏡５の一次反射光を近領域ＮＲに照射し、反射鏡６の一次反射光を遠領域ＦＲに照射していたが、反射鏡５の一次反射光を遠領域ＦＲに照射し、反射鏡６の一次反射光を近領域ＮＲに照射してもよい。この場合でも、各反射鏡５，６において、光源３，４の長手方向と直交する断面における一次反射光の照射角度範囲θ１，θ２が、それぞれ図４の比較例における一次反射光の照射角度範囲θｘより小さくなる。このため、鏡面反射面５ａ，６ａの下端５ｃ，６ｃ近傍からの三次反射光の光量を低減して、上方配光を抑制することができる。
【００３９】
また、上記実施形態では、光源と反射鏡からなる組を上下方向に２段設けていたが、段数は３段以上であってもよい。例えば、３段の場合は、最上段、最下段、及びそれらの間の中間段の線状光源及び反射鏡が、照射方向において最も近い領域、最も遠い領域、及びそれらの間の中間領域をそれぞれ分担して照明することができる。各反射鏡において、線状光源の長手方向と直交する断面における一次反射光の照射角度範囲をより小さくすることができるので、不要な上方配光をより一層抑制することができる。
【００４０】
さらに、上記実施形態では、光源３，４の発光素子は、発光ダイオードから構成されていたが、発光素子はこれに限らず、有機ＥＬ（ＯＬＥＤ）など、他の半導体素子であってもよい。
【００４１】
以上、説明した通り、本開示の実施形態にかかる道路照明器具１は、道路ＲＤの路面ＲＳの側方から、路面ＲＳを構成している近領域ＮＲ及び近領域ＮＲよりも遠くに位置する遠領域ＦＲを照明する道路照明器具である。道路照明器具１は、開口Ｏ１，Ｏ２を有する筐体２と、開口Ｏ１，Ｏ２を塞ぐように配置された透光性のパネル９と、を備えている。また、道路照明器具１は、筐体２内に配置された、複数のＬＥＤ１１からなる上側線状光源３と、筐体２内の上側線状光源３より下方に配置された、複数のＬＥＤ１１からなる下側線状光源４と、を備えている。さらに、道路照明器具１は、筐体２内に配置され、上側線状光源３から出射された光を、近領域ＮＲ及び遠領域ＦＲのうちの一方の領域に向けて反射して、パネル９を通して上記一方の領域に照射する上側反射鏡５を備えている。また、道路照明器具１は、筐体２内の上側反射鏡５より下方に配置され、下側線状光源４から出射された光を、近領域ＮＲ及び遠領域ＦＲのうちの他方の領域に向けて反射して、パネル９を通して上記他方の領域に照射する下側反射鏡６を備えている。上記一方の領域は、近領域ＮＲであり、上記他方の領域は、遠領域ＦＲであることが好ましい。
【符号の説明】
【００４２】
ＲＤ  道路
ＲＳ  路面
ＮＲ  近領域（第１領域）
ＦＲ  遠領域（第２領域）
１  道路照明器具
２  筐体
Ｏ１  上側投光開口（投光開口）
Ｏ２  下側投光開口（投光開口）
１１  発光ダイオード（発光素子）
３  上側線状光源（第１線状光源）
４  下側線状光源（第２線状光源）
５  上側反射鏡（第１反射鏡）
６  下側反射鏡（第２反射鏡）
９  パネル
【図１】
2018206704.tif 000003
【図２】
2018206704.tif 000004
【図３】
2018206704.tif 000005
【図４】
2018206704.tif 000006
【手続補正書】
【提出日】平成29年6月14日(2017.6.14)
【手続補正１】
【補正対象書類名】明細書
【補正対象項目名】００２６
【補正方法】変更
【補正の内容】
【００２６】
図３に示した道路照明器具においては、反射鏡５からの一次反射光の照射角度範囲θ１は、反射鏡６からの一次反射光の照射角度範囲θ２より大きい。また、鏡面反射面５ａの下端５ｃと開口Ｏ１の上側周縁部Ｏ１ａとの上下方向距離Ｄ１は、鏡面反射面６ａの下端６ｃと開口Ｏ２の上側周縁部Ｏ２ａとの上下方向距離Ｄ２より小さい。なお、照射角度範囲θ１よりも照射角度範囲θ２の方が大きくなるように構成してもかまわない。また、上下方向距離Ｄ１は、上下方向距離Ｄ２と等しいか、または、上下方向距離Ｄ２より大きくなるように構成してもかまわない。